(57)【要約】      （修正有）【課題】ネットワーク音声の入出力機能をマウスに付加する。【解決手段】マウス本体と伝送ケーブルから構成される。マウス本体内部の回路基板１０に、マイクロフォン２とスピーカ３が組み込まれ、マウス本体の上面に切換スイッチ１１が設けられ、マウス本体の側面に音量調節ダイヤル１２が設けられる。伝送ケーブルは、一端にマウス本体に接続される接続端が設けられ、他端にＵＳＢ接続端が設けられ、ＵＳＢ接続端から引き出されたスピーカ接続端並びにマイクロフォン接続端を備える。伝送ケーブルのスピーカ接続端をコンピュータのスピーカ接続端子に接続し、マイクロフォン接続端をコンピュータのマイクロフォン接続端子に接続し、ＵＳＢ接続端をコンピュータのマウス接続端子に接続する。マウス、スピーカ、マイクロフォンの各信号が独立した状態でコンピュータに伝送される。【選択図】図３
0003118504.tif 000002
【実用新案登録請求の範囲】
【請求項１】
マウス本体と伝送ケーブルから構成され、前記マウス本体は内部に回路基板を備え、前記回路基板にマイクロフォンとスピーカが組み込まれ、前記マウス本体の上面にネットワーク音声の伝送を切り換えるための切換スイッチが設けられ、前記マウス本体の側面に音量調節ダイヤルが設けられ、前記伝送ケーブルは、その一端に前記マウス本体に接続される接続端が設けられ、他端に前記コンピュータのマウス接続端子に接続するＵＳＢ接続端が設けられると共に、前記コンピュータのスピーカ接続端子に接続されるスピーカ接続端並びに前記コンピュータのマイクロフォン接続端子に接続されるマイクロフォン接続端が前記ＵＳＢ接続端から引き出されてなり、前記伝送ケーブルによりマウス、スピーカ、マイクロフォンの各信号がそれぞれ独立した状態でコンピュータに伝送されることを特徴とするマウス。
【請求項２】
前記伝送ケーブルは、その中途にコードリールユニットを備え、前記コードリールユニットは、互いに組み付けられて外殻を構成する上蓋及び下蓋と、該上蓋と下蓋との間に収納されたリール盤、ぜんまい及び位置決め部材と、前記伝送ケーブルとを備え、前記リール盤は前記外殻の中心軸の回りを回転可能であり、前記伝送ケーブルの中間部が前記リール盤に固定されると共に、その両側部分が前記リール盤の外周にそれぞれ上下２段に巻き付けられて、前記外殻の外部へ延び、前記リール盤が回転することにより、前記伝送ケーブルの両側部分を引き出し・巻き取り可能であり、前記ぜんまいは、その両端がそれぞれ前記リール盤及び前記外殻に固定され、前記伝送ケーブルが引き出された時に、前記リール盤をケーブル巻き取り方向へ回転するよう付勢し、前記位置決め部材は、位置決めアームと取付片とからなり、該取付片は前記位置決めアームの一端部上面を覆って、その両側部がそれぞれ前記下蓋に固定され、前記位置決めアームの一端部上面に設けられた回転軸が前記取付片に形成された軸孔へ回動自在に挿通され、前記位置決めアームの他端部にスライド突起部が設けられ、前記リール盤の下面に、その回転に伴い前記位置決め部材のスライド突起部を案内し、該スライド突起部を移動させたり、停止させることにより、前記リール盤の回転を許容或いは規制する位置決め軌道が形成されていることを特徴とする請求項１又は２に記載のマウス。
【請求項３】
前記回路基板の前部に前記マイクロフォンが配置され、前記回路基板の後部に前記スピーカが配置されていることを特徴とする請求項１又は２に記載のマウス。
【考案の詳細な説明】
【技術分野】
【０００１】
本考案は、ネットワーク音声の受信と伝送機能を備えたマウスに関する。
【背景技術】
【０００２】
本考案の先行技術としては、具体的には２つの主要な技術があり、１つはコンピュータ用のマウスであり、座標移動の制御・モニタスクリーンのスクロール及びクリック制御の３つを主として行うものである。もう１つはネットワーク音声入出力装置であり、ネットワーク音声への適応を達成するため、ソフトウェアを対応させるだけでなく、ネットワーク音声入出力装置が伝送インターフェースを提供するもので、代表的な製品として耳掛けタイプのヘッドセットがあげられる。
【考案の開示】
【考案が解決しようとする課題】
【０００３】
マウスと耳掛けタイプのヘッドセットは、異なる使用機能を提供するものであるため、消費者はそれぞれお金を使って購入する必要がある。相対して、ハードウェアの操作においては、知らず知らずのうちにさらに設備が追加され、ケーブル配線の問題が出てくる。コンピュータ伝送ケーブルを一本さらに一本と配線していくと、各伝送ケーブルが入り乱れ、処理し難い状況に陥ってしまい、悩みの種となる。
【０００４】
そこで、従来のコンピュータマウスの内部構造にマイクロフォンとスピーカ部材を加え、音声をマイクロフォンにより受信した後、さらにコンピュータネットワークを介して相手方のコンピュータへ音声の送信を行うことができ、かつスピーカ部材により相手方のコンピュータネットワークから自分のコンピュータへと送信されてくる音声をスピーカにより出力することができるネットワーク音声出入力機能をマウスに持たせることである。
【０００５】
本考案の目的は、ネットワーク音声の使用機能でコンピュータマウスの付加価値と使用機能を大幅に増強し、従来の単純なマウスをネットワーク音声機能の分野に推し進め、機能を増進し、高い利便性・実用性を備えたネットワーク音声出入力機能付のマウスを提供することにある。
【課題を解決するための手段】
【０００６】
請求項１に係るマウスは、上記課題を解決するために、マウス本体と伝送ケーブルから構成され、前記マウス本体は内部に回路基板を備え、前記回路基板にマイクロフォンとスピーカが組み込まれ、前記マウス本体の上面にネットワーク音声の伝送を切り換えるための切換スイッチが設けられ、前記マウス本体の側面に音量調節ダイヤルが設けられ、前記伝送ケーブルは、その一端に前記マウス本体に接続される接続端が設けられ、他端に前記コンピュータのマウス接続端子に接続するＵＳＢ接続端が設けられると共に、前記コンピュータのスピーカ接続端子に接続されるスピーカ接続端並びに前記コンピュータのマイクロフォン接続端子に接続されるマイクロフォン接続端が前記ＵＳＢ接続端から引き出されてなり、前記伝送ケーブルによりマウス、スピーカ、マイクロフォンの各信号がそれぞれ独立した状態でコンピュータに伝送されることを特徴とする。
【０００７】
請求項２に係るマウスは、請求項１に係るマウスにおいて、前記伝送ケーブルが、その中途にコードリールユニットを備え、前記コードリールユニットは、互いに組み付けられて外殻を構成する上蓋及び下蓋と、該上蓋と下蓋との間に収納されたリール盤、ぜんまい及び位置決め部材と、前記伝送ケーブルとを備え、前記リール盤は前記外殻の中心軸の回りを回転可能であり、前記伝送ケーブルの中間部が前記リール盤に固定されると共に、その両側部分が前記リール盤の外周にそれぞれ上下２段に巻き付けられて、前記外殻の外部へ延び、前記リール盤が回転することにより、前記伝送ケーブルの両側部分を引き出し・巻き取り可能であり、前記ぜんまいは、その両端がそれぞれ前記リール盤及び前記外殻に固定され、前記伝送ケーブルが引き出された時に、前記リール盤をケーブル巻き取り方向へ回転するよう付勢し、前記位置決め部材は、位置決めアームと取付片とからなり、該取付片は前記位置決めアームの一端部上面を覆って、その両側部がそれぞれ前記下蓋に固定され、前記位置決めアームの一端部上面に設けられた回転軸が前記取付片に形成された軸孔へ回動自在に挿通され、前記位置決めアームの他端部にスライド突起部が設けられ、前記リール盤の下面に、その回転に伴い前記位置決め部材のスライド突起部を案内し、該スライド突起部を移動させたり、停止させることにより、前記リール盤の回転を許容或いは規制する位置決め軌道が形成されていることを特徴とするものである。
【０００８】
請求項３に係るマウスは、請求項１又は２に係るマウスにおいて、前記回路基板の前部に前記マイクロフォンが配置され、前記回路基板の後部に前記スピーカが配置されていることを特徴とするものである。
【考案の効果】
【０００９】
本考案のマウスによれば、ネットワーク音声の使用機能でマルチメディアスピーカの付加価値と使用機能を大幅に増強し、従来の単純なマウスをネットワーク音声機能の分野に推し進めて機能を増進し、高い利便性・実用性を備えることができる。
【００１０】
請求項２に係るマウスによれば、コンピュータとの接続に際して引き出した伝送コードを位置決めでき、二方向の引き出し・巻き取りを行うことができる。
【考案を実施するための最良の形態】
【００１１】
以下、本考案の実施の形態を図面に基いて詳細に説明する。図１は、本考案の実施形態に係るマウスの斜視図である。図２は、実施形態のマウスを底面から眺めて示す斜視図である。図３は、マウスの内部構造を示す斜視図である。本考案のマウス１は、マウス１の外装を形成するマウス本体とマウス１に接続される伝送ケーブル（図示せず）から構成され、マウス１の内部にはマイクロフォン２とスピーカ３が組み込まれている（図２参照）。即ち、マウス本体の内部に回路基板１０を備え（図３参照）、回路基板１０の前部にマイクロフォン２が配設され、回路基板１０の中間部に切換スイッチ１１が配設され、回路基板１０の後部にスピーカ３が配設され、切換スイッチ１１の下方の回路基板１０の一側に音量調節ダイヤル１２が配設されている（図３参照）。また、切換スイッチ１１はマウス本体の上面に操作可能に露出して配置され、音量調節ダイヤル１２はマウス本体の側部に操作可能に露出して配置される（図１参照）。なお、図示していないが、マウス本体の前端部に伝送ケーブル４の挿入口が設けられている。
【００１２】
前述のマイクロフォン２とスピーカ３は、音声をマイクロフォン２で受信した後、さらに後述の伝送ケーブル４を介して接続されたコンピュータのネットワークシステムを介してその音声を相手方のコンピュータへと伝送し、相手方のコンピュータネットワークシステムから送信されてくる音声をスピーカ３で出力するものである。マウス１により双方向のインターネットコミュニケーションが形成される。切換えスイッチ１１は、ネットワーク音声の伝送を切り換えることができ、且つ、ハンズフリーマウスモードで双方向の伝送を行うことができるものとする。音量調節ダイヤル１２は、音量の大小調節の機能を提供し、最適な音量の出力を得ることができる。
【００１３】
本考案のマウス１は、別途伝送ケーブル４を接続してコンピュータに接続する必要がある。図４は、伝送ケーブルの一実施形態を示す伝送ケーブル４の平面図である。伝送ケーブル４は、その利用特性上単一のケーブルとすることができる。伝送ケーブル４は、その一端にマウス本体に接続される接続端４１が設けられ、他端にコンピュータのマウス接続端子に接続するＵＳＢ接続端４２が設けられると共に、コンピュータのスピーカ接続端子に接続されるスピーカ接続端４３並びにコンピュータのマイクロフォン接続端子に接続されるマイクロフォン接続端４４がＵＳＢ接続端４２から引き出されてなる。マウス１は、伝送ケーブル４の接続端４１を前記マウス本体の前端部の挿入口に差し込んで伝送ケーブル４を接続し、伝送ケーブル４のスピーカ接続端４３をコンピュータのスピーカ接続端子に接続し、マイクロフォン接続端４４をコンピュータのマイクロフォン接続端子に接続し、ＵＳＢ接続端４２をコンピュータのマウス接続端子に接続することにより、伝送ケーブル４を介してマウス、スピーカ、マイクロフォンの各信号がそれぞれ独立した状態でコンピュータに伝送される。
【００１４】
また、図４に示すように、伝送ケーブル４は、その中途にコードリールユニット５を設け、コードリールユニット５を介して２方向のケーブル引き出し機能と巻取り機能を形成させ、コードリールユニット５により、長さ調整を行えるようにすることもできる。
【００１５】
図５は、実施形態のコードリールユニット５を分解して示す斜視図であり、図８はコードリールユニット５の断面図である。図５に示すように、コードリールユニット５は、上蓋５１、パッド片５２、リール盤５３、伝送ケーブル４、ぜんまい５５、下蓋５６及び位置決め部材５７から構成される。上蓋５１と下蓋５６とは、二方向コードリールの外殻を構成する。上蓋５１の内面中心から下方に向けて突設した中心軸が下蓋５６の中心に固定されている。そして、それぞれ円形平面を有するパッド片５２及びリール盤５３が、上蓋５１と下蓋５６との間に配置され、上蓋５１の中心軸がパッド片５２及びリール盤５３の中心を貫通している。
【００１６】
図５に示すように、リール盤５３は、その上部が周壁で囲まれて上方に開方された凹部を有する略円筒形をなし、前記凹部の上面がパッド片５２で閉鎖されている。リール盤５３の周壁には嵌入溝５３１が形成され、該嵌入溝５３１にぜんまい５５の一端５５２が係止されている。また、ぜんまい５５の他端５５１は、上蓋５１の中心軸に形成した嵌入溝５１１に固定されている。リール盤５３が正方向に回転すると、内部のぜんまい５５が巻き締められ、リール盤５３が逆方向に回転すると、内部のぜんまい５５が巻き戻され、巻き締められたぜんまい５５が巻き戻る際の復元力がコードリールユニット５のリール盤５３をコード巻き取り方向へ回転させる力となる。
【００１７】
また、リール盤５３の周壁内面に沿って挟み片５３２が設けられ、前記周壁には、挟み片５３２の両側に対応する位置に、引き出し口５３３及びスリット５３４が設けられている。伝送ケーブル４はその中間部分がリール盤５３の周壁内面に沿って配置されると共に挟み片５３２により挟持され、中間部分の一側が周壁に設けられた引き出し口５３３から外部に引き出され、中間部分の他側が周壁に設けられたスリット５３４から外部に引き出され、１本の伝送ケーブル４がほぼ同じ長さでリール盤５３の外周面に上下２段にそれぞれ巻きつけられる（図８参照）。リール盤５３が正逆方向に回転することにより、伝送ケーブル４を引き出したり、巻き取ることが可能である。伝送ケーブル４を二方向に引き出すときは同時且つ同速度で引き出され、巻き取るときは再度伝送ケーブル４を引くと、元の位置へと巻き戻される。
【００１８】
このほか、コードリールユニット５は、リール盤５３の下面に対して下蓋５６の上面外縁寄りに設けた位置決め部材５７により、コードリールユニット５の引っ掛けと引っ掛けの解除機能が提供される。図６はコードリールユニット５の位置決め部材（図５のＡ部）を分解して示す斜視図である。また、図７は、コードリールユニット５の位置決め棒と位置決め軌道の相関位置と動作を示す平面図である。
【００１９】
図６に示すように、位置決め部材５７は、位置決めアーム５７１と取付片５７２とから構成される。位置決めアーム５７１の両端部上面には、それぞれ回転軸５７１１及びスライド突起部５７１２が突設される。また、取付片５７２の中央部には軸孔５７２１が形成されると共に、両側部にそれぞれ係止孔が形成される。取付片５７２は位置決めアーム５７１の基端部分の上面を覆うように設置され、両側を下蓋５６の上面に設けられた柱状の係合突起５７０に嵌置して固定される。また、取付片５７２の中央の軸孔５７２１に位置決めアーム５７１の回転軸５７１１が嵌入され、位置決めアーム５７１が取付片５７２により位置決めされると共に回動自在に軸支される。取付片５７２から露出された位置決めアーム５７１の先端部のスライド突起部５７１２は、リール盤５３の底部に設けられた位置決め軌道５３５に係合されている。
【００２０】
図７に示すように、位置決めアーム５７１のスライド突起部５７１２は、リール盤５３の回転に伴い、位置決め軌道５３５に案内されて移動し、引っ掛かって停止する状態と引っ掛かりから外れて再度移動する状態とを交互に繰り返す。そして、スライド突起部５７１２がスムーズに移動する時は、リール盤５３の回転が許容され、スライド突起部５７１２が引っ掛かって停止すると、リール盤５３が回転が規制される。
【００２１】
従って、伝送ケーブル４が引き出され、同時にリール盤５３が回転するとき、位置決めアーム５７１が位置決め軌道５３５に沿って揺動運動し、この揺動運動において引き出された伝送ケーブル４がスライド突起部５７１２が引っ掛かることによってリール盤５３の回転が停止されて位置決めされた後、再度伝送ケーブル４を引くと、位置決めアーム５７１のスライド突起部５７１２が引っ掛かった状態から解放される。また、段階的位置決め機能を得ることもでき、同様に引き出された伝送ケーブル４を位置決めした後、伝送ケーブル４が完全に巻き取られる前に、再度伝送ケーブル４を引き出し、位置決めアーム５７１に再度位置決めさせることができる。このため、本考案のコードリールユニット５は、その操作上一度の巻き取りと段階的な多段式位置決め制御の２つの使用機能を備えている。
【図面の簡単な説明】
【００２２】
【図１】本考案の実施形態に係るマウスの斜視図である。
【図２】同上の実施形態のマウスを底面から眺めて示す斜視図である。
【図３】同上の実施形態のマウスの内部構造を示す斜視図である。
【図４】同上の実施形態の伝送ケーブルの平面図である。
【図５】同上の実施形態のコードリールユニットを分解して示す斜視図である。
【図６】同上の実施形態のコードリールユニットの位置決め部材を分解して示す斜視図である。
【図７】同上の実施形態のコードリールユニットの位置決め棒とガイド溝の相関位置と動作を示す平面図である。
【図８】同上の実施形態のコードリールユニットの断面図である。
【符号の説明】
【００２３】
１  マウス
１０  回路基板
１１  切換スイッチ
１２  音量調節ダイヤル
２  マイクロフォン
３  スピーカ
４  伝送ケーブル
４１  接続端
４２  ＵＳＢ接続端
４３  スピーカ接続端
４４  マイクロフォン接続端
５  コードリールユニット
５１  上蓋
５１１  嵌入溝
５２  パッド片
５３  リール盤
５３１  嵌入溝
５３２  挟み片
５３３  引き出し口
５３４  スリット
５３５  位置決め軌道
５５  ぜんまい
５５１  内側端部
５５２  外側端部
５６  下蓋
５７  位置決め部材
５７０  係合突起
５７１  位置決めアーム
５７１１  回転軸
５７１２  スライド突起部
５７２  取付片
５７２１  軸孔
【図１】
0003118504.tif 000003
【図２】
0003118504.tif 000004
【図３】
0003118504.tif 000005
【図４】
0003118504.tif 000006
【図５】
0003118504.tif 000007
【図６】
0003118504.tif 000008
【図７】
0003118504.tif 000009
【図８】
0003118504.tif 000010